(57)【要約】【課題】ワイヤレス通信可能な情報入力装置（マウス）は、ワイヤーを気にせず移動させることが可能であるにも関わらず、その使用する向きは１方向に固定されており、この点が不便であることが問題になっていた。このため、多方向の向きで使用可能な情報入力装置を提供することが課題になっていた。【解決手段】実施形態の情報入力装置は、ユーザのタッチ操作を検出する第１のタッチエリア近傍に設けられ、近接する物体を検出可能な第１のセンサを備える。また、ユーザのタッチ操作を検出する第２のタッチエリア近傍に設けられ、近接する物体を検出可能な第２のセンサを備える。また、前記第１のセンサで物体が検出された場合は、前記第２のタッチエリアをイネーブルにする制御を行なう制御部を備える。【選択図】  図３
2013030025.tif 000002
【特許請求の範囲】
【請求項１】
ユーザのタッチ操作を検出する第１のタッチエリア近傍に設けられ、近接する物体を検出可能な第１のセンサと、
ユーザのタッチ操作を検出する第２のタッチエリア近傍に設けられ、近接する物体を検出可能な第２のセンサと、
前記第１のセンサで物体が検出された場合は、前記第２のタッチエリアをイネーブルにする制御を行なう制御部を備える入力装置。
【請求項２】
前記制御部は、さらに、前記第１のタッチエリアをディスエーブルにする制御を行なう請求項１に記載の入力装置。
【請求項３】
前記制御部は、前記第２のセンサで物体が検出された場合は、前記第１のタッチエリアをイネーブルにする制御を行なう制御部を備える請求項１に記載の入力装置。
【請求項４】
前記制御部は、さらに、前記第２のタッチエリアをディスエーブルにする制御を行なう請求項３に記載の入力装置。
【請求項５】
前記第１のセンサおよび前記第２のセンサは、それぞれ近接センサを備える請求項１に記載の入力装置。
【請求項６】
予め、右手用または左手用の設定が可能な設定部を備え、右手用の設定がされている場合は、前記第２のタッチエリアを右手用に動作させる請求項１に記載の入力装置。
【請求項７】
予め、右手用または左手用の設定が可能な設定部を備え、左手用の設定がされている場合は、前記第２のタッチエリアを左手用に動作させる請求項１に記載の入力装置。
【請求項８】
ユーザのタッチ操作を検出する第１のタッチエリア近傍に設けられ、近接する物体を検出可能な第１のセンサ、および、ユーザのタッチ操作を検出する第２のタッチエリア近傍に設けられ、近接する物体を検出可能な第２のセンサで物体を検出するステップと、
前記第１のセンサで物体が検出された場合は、前記第２のタッチエリアをイネーブルにするステップを備える入力装置の制御方法。
【請求項９】
ユーザのタッチ操作を検出する第１のタッチエリア近傍に設けられ、近接する物体を検出可能な第１のセンサ、および、ユーザのタッチ操作を検出する第２のタッチエリア近傍に設けられ、近接する物体を検出可能な第２のセンサで物体を検出するステップと、
前記第１のセンサで物体が検出された場合は、前記第２のタッチエリアをイネーブルにするステップを備える入力装置の制御プログラム。
【発明の詳細な説明】
【技術分野】
【０００１】
本発明の実施形態は、情報入力装置、情報入力装置の制御方法、情報入力装置の制御プログラムに関する。
【背景技術】
【０００２】
近年、パーソナルコンピュータ（ＰＣ）等の電子機器が普及している。そして、ユーザが、これらの電子機器へ情報を入力する際の入力補助装置として、例えば、マウス（Mouse）等の情報入力装置（ポインティングデバイス）が用いられている。
【０００３】
例えば、マウス等の情報入力装置は、ユーザのタッチ操作を入力情報として検出するタッチエリアを備えている。
また、近年、例えば、ワイヤレス通信によって、上記検出された入力情報を電子機器へ送信することが可能な情報入力装置（マウス）が普及している。これらのワイヤレス通信可能な情報入力装置（マウス）は、ワイヤーを気にせず移動させることが可能であるので、例えば、ユーザにとって自由度が高いというメリットがある。
【０００４】
しかし、上記ワイヤレス通信可能な情報入力装置（マウス）は、ワイヤーを気にせず移動させることが可能であるにも関わらず、その使用する向きは１方向に固定されており、この点が不便であることが問題になっていた。
【０００５】
このため、多方向の向きで使用可能な情報入力装置を提供することが課題になっていた。
【先行技術文献】
【特許文献】
【０００６】
【特許文献１】特開２００６−１５５３１３
【発明の概要】
【発明が解決しようとする課題】
【０００７】
ワイヤレス通信可能な情報入力装置（マウス）は、ワイヤーを気にせず移動させることが可能であるにも関わらず、その使用する向きは１方向に固定されており、この点が不便であることが問題になっていた。
【０００８】
このため、多方向の向きで使用可能な情報入力装置を提供することが課題になっていた。
【課題を解決するための手段】
【０００９】
実施形態の情報入力装置は、ユーザのタッチ操作を検出する第１のタッチエリア近傍に設けられ、近接する物体を検出可能な第１のセンサを備える。
また、ユーザのタッチ操作を検出する第２のタッチエリア近傍に設けられ、近接する物体を検出可能な第２のセンサを備える。
また、前記第１のセンサで物体が検出された場合は、前記第２のタッチエリアをイネーブルにする制御を行なう制御部を備える。
【図面の簡単な説明】
【００１０】
【図１】実施形態に係わる情報入力装置（マウス）から電子機器（ＰＣ）に情報が送信されるようすを示す図。
【図２】実施形態に係わる電子機器（ＰＣ）の構成を示すブロック図。
【図３】実施形態に係わる、近接センサを２つ備える情報入力装置（マウス）の構成および動作を説明する図。
【図４】他の実施形態に係わる、近接センサを２つ備える情報入力装置（マウス）の構成および動作を説明する図。
【図５】他の実施形態に係わる、近接センサを２つ備える情報入力装置（マウス）の構成および動作を説明する図。
【図６】他の実施形態に係わる、近接センサを４つ備える情報入力装置（マウス）の構成を説明する図。
【図７】他の実施形態に係わる、近接センサを４つ備える情報入力装置（マウス）の動作を説明する図。
【図８】実施形態に係わる、近接センサを２つ備える情報入力装置（マウス）の構成および左手設定における動作を説明する図。
【図９】近接センサを２つ備える情報入力装置（マウス）の動作を説明するフローチャート。
【図１０】近接センサを４つ備える情報入力装置（マウス）の動作を説明するフローチャート。
【発明を実施するための形態】
【００１１】
以下、図面を参照し、実施の形態を説明する。
図１は、実施形態に係わる情報入力装置（マウス）から電子機器（ＰＣ）に情報が送信されるようすを示す図である。
この実施の形態においては、図１に示すように、例えば、ユーザに操作された情報入力装置（マウス）２０から電子機器（ＰＣ）１０へ、ユーザ入力情報がワイヤレス通信で送信される。そして、電子機器（ＰＣ）１０は、このワイヤレス通信で送信されたユーザ入力情報を受信し、これに応じて動作する。
【００１２】
この情報入力装置（マウス）２０は、ユーザのタッチ操作を入力情報として検出するタッチエリアを備えている。
この情報入力装置（マウス）２０は、上記タッチエリアで検出されたユーザの入力情報をワイヤレス通信で送信する。
ここでは、電子機器は、例えばノートブックタイプのパーソナルコンピュータ（ノートＰＣ、またはＰＣ）１０として実現されている。
なお、この実施の形態はパーソナルコンピュータに限られず、ＴＶや携帯電話、携帯型の電子機器等に適用することも可能である。
図１に示すように、電子機器（ノートＰＣ）１０は、コンピュータ（ノートＰＣ）本体１１と、映像表示部１２とから構成されている。映像表示部１２には、例えば、ＬＣＤ（liquid crystal display）１７が組み込まれている。
【００１３】
映像表示部１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１４】
コンピュータ（ノートＰＣ）本体１１は、薄い箱形の筐体を有しており、その上面には、キーボード１３、電子機器（ノートＰＣ）１０を電源オン／電源オフするためのパワーボタン１４、タッチパッド１６、スピーカ１８Ａ，１８Ｂなどが配置されている。
【００１５】
また、コンピュータ（ノートＰＣ）本体１１の、例えば、右側面には、ＵＳＢ（universal serial bus）２．０規格のＵＳＢケーブルやＵＳＢデバイスを接続するためのＵＳＢコネクタ１９が設けられている。
【００１６】
さらに、コンピュータ（ノートＰＣ）本体１１の背面には、例えばＨＤＭＩ(high-definition multimedia interface)規格に対応した外部ディスプレイ接続端子が設けられている（図示せず）。この外部ディスプレイ接続端子は、デジタル映像信号を外部ディスプレイに出力するために用いられる。
【００１７】
図２は、実施形態に係わる電子機器（ＰＣ）の構成を示すブロック図である。
電子機器（ノートＰＣ）１０は、図２に示すように、ＣＰＵ（central processing unit）１０１、システムメモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、カードスロット１１１Ｃ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００１８】
ＣＰＵ１０１は、電子機器（ノートＰＣ）１０内の各部の動作を制御するプロセッサである。
ＣＰＵ１０１は、ＢＩＯＳ−ＲＯＭ１０７に格納されたＢＩＯＳを実行する。ＢＩＯＳは、ハードウェア制御のためのプログラムである。ＣＰＵ１０１には、システムメモリ１０３をアクセス制御するメモリコントローラも内蔵されている。また、例えば、PCI EXPRESS規格のシリアルバスなどを介してＧＰＵ１０５との通信を実行する機能も有している。
【００１９】
ＧＰＵ１０５は、電子機器（ノートＰＣ）１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００２０】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００２１】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００２２】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、例えばUSB 2.0規格に対応した外部機器との通信を実行する。
【００２３】
例えば、ＵＳＢコントローラ１１１Ａは、デジタルカメラに格納されている画像データファイルを受信するために使用される。また、カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００２４】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（ノートＰＣ）１０を電源オン／電源オフする機能を有している。
【００２５】
この実施の形態における表示制御は、例えば、ＣＰＵ１０１がシステムメモリ１０３やＨＤＤ１０９等に記録されたプログラムを実行させることにより行われる。
また、ここでは、特に図示しないが、例えば、ＵＳＢコントローラには、情報入力装置（マウス）２０から送信されたワイヤレス通信を受信可能なワイヤレス通信受信部が接続される。そして、情報入力装置（マウス）２０から送信されたワイヤレス通信で送信された入力情報を受信する。電子機器（ＰＣ）１０は、例えば、この入力情報に応じて、動作する。
【００２６】
図３は、実施形態に係わる、近接センサを２つ備える情報入力装置（マウス）の構成および動作を説明する図である。
ここでは、近接センサで物体が検出された場合に、ユーザが情報入力装置（マウス）２０を右手で使用することが、電子機器（ＰＣ）１０に、予め、設定されている。
【００２７】
ここで、この実施の形態に係る近接センサの説明をする。
近接センサは、検出対象に接触することなく物体を検出するセンサである。近接センサは、その動作原理の違いにより、電磁誘導を利用した高周波発振型、磁石を用いた磁気型、静電容量の変化を利用した静電容量型、電磁誘導により検出対象となる金属体に発生する渦電流を利用する渦電流型等に分類される。
【００２８】
例えば、磁気近接センサ（magnetic proximity sensor）は、磁性体が近付くと反応する。回転子の速度測定、回路の点滅（on / off）に使用されている。また、このセンサは、モーターと車輪の回転数をカウントするためにも使用され、位置センサとしても使用されている。
【００２９】
また、光学式近接センサ（optical proximity sensor）は、emitterと呼ばれる光源と光の存在有無を検出する受光機で構成されている。一般的に受光器はフォトトランジスタで、emitter はＬＥＤ（light emitted diode）である。この両方の組み合わせが光センサを作り、光学エンコーダを含む多くの分野に応用されている。
【００３０】
超音波センサは、高周波（一般的に200 kHzの範囲）の超音波を発信し、対象物で反射してくる超音波を再度センサヘッドで受信し、この音波の発信から受信までの時間を計測することで対象物の位置を検出する。
【００３１】
誘導形近接センサ(inductive proximity sensor)は、金属など導体を検出するときに使われる。検出コイルに交流磁界を発生させ、検出体となる金属体に発生した渦電流によるインピーダンスの変化を検出する。
【００３２】
容量形近接センサー（capacitive sensor）は、誘電率が１．２よりも大きな物体が存在すると反応する。この場合、センサ内部の物質は、コンデンサ（capacitor or condenser）として動作し、センサのプローブ（probe）の全容量成分がアップする。これが、内部発振器の起動信号となり、出力信号を送る。つまり、センサは、測定範囲内の物体の存在を検出することができる。容量形センサは、木、液体、および化学原料などの非金属を検出することもできる。
【００３３】
渦電流近接センサは、導体が可変する磁界内に位置しているとき、導体から電流の流れが発生し、起電力が誘導される。この電流を渦電流という。渦電流センサは、導電性物質の検出に主に使用されるだけでなく、物質の厚さ、壊れ目、距離などの非破壊検査にも利用される。
【００３４】
この実施の形態においては、上記近接センサを適宜利用することが可能である。
図３（ａ）は、情報入力装置（マウス）２０の構成を説明する図である。
図３（ａ）に示すように、この実施形態に係わる情報入力装置（マウス）２０は、第１の近接センサ２１および第２の近接センサ２２の２つの近接センサを備えている。
【００３５】
この情報入力装置（マウス）２０は、以下説明するように、異なる動作をする、第１のタッチエリア３１および第２のタッチエリア３２の２つの領域（タッチエリア）を備えている。
【００３６】
また、この実施の形態においては、情報入力装置（マウス）２０は、図示しない、ＣＰＵ等の制御部を備えている。
そして、上記第１のタッチエリア３１近傍（第１のタッチエリア３１内を含む）には、上記第１の近接センサ２１が設けられ、情報入力装置（マウス）２０に近接する物体を検出する。また、上記第２のタッチエリア３２近傍（第２のタッチエリア３２内を含む）には、上記第２の近接センサ２２が設けられ、同様に、情報入力装置（マウス）２０に近接する物体を検出する。
【００３７】
また、上記第１の近接センサ２１で物体が検出された場合は、上記第２のタッチエリア３２をイネーブル（有効）にする
また上記制御部は、さらに、上記第１のタッチエリア３１をディスエーブル（無効）にする。
図３（ｂ）は、情報入力装置（マウス）２０に情報入力装置（マウス）２０を操作するユーザの手（右手）が近接し、これが第２の近接センサ２２で物体として検出された場合の動作を説明する図である。
【００３８】
上記のように、ここでは、近接センサ２２で物体が検出された場合に、ユーザが情報入力装置（マウス）２０を右手で使用することが、電子機器（ＰＣ）１０に、予め、設定されている。
【００３９】
図３（ｂ）に示すように、ここでは、第２の検出センサ２２で物体１が検出されている。
すると、上記第２の近接センサ２１で物体が検出された場合は、例えば、上記第１のタッチエリア３１をイネーブル（有効）にする。また、このとき、上記第２のタッチエリア３２はディスエーブル（無効）にする。
【００４０】
また、上記イネーブル（有効）にされた第１のタッチエリア３１に、図３（ｂ）に示すように、「Ｌ」および「Ｒ」と示されたタッチセンサを動作させる。
ここで、「Ｌ」は、上記右手設定におけるマウスのタッチセンサの左側のエリア、すなわち、通常、右手の人差し指で操作されるエリアである。
また、「Ｒ」は、上記右手設定におけるマウスのタッチセンサの右側のエリア、すなわち、通常、右手の中指で操作されるエリアである。
図３（ｃ）は、情報入力装置（マウス）２０に情報入力装置（マウス）２０を操作するユーザの手（右手）が近接し、これが第１の近接センサ２１で物体として検出された場合の動作を説明する図である。
【００４１】
上記のように、ここでは、近接センサ２１で物体が検出された場合に、ユーザが情報入力装置（マウス）２０を右手で使用することが、電子機器（ＰＣ）１０に、予め、設定されている。
【００４２】
図３（ｃ）に示すように、ここでは、第１の検出センサ２１で物体１が検出されている。
すると、上記第１の近接センサ２１で物体が検出された場合は、例えば、上記第２のタッチエリア３２をイネーブル（有効）にする。また、このとき、上記第１のタッチエリア３１はディスエーブル（無効）にする。
【００４３】
また、上記と同様に、上記イネーブル（有効）にされた第２のタッチエリア３２に、図３（ｃ）に示すように、「Ｌ」および「Ｒ」と示されたタッチセンサを動作させる。
【００４４】
ここで、「Ｌ」は、上記右手設定におけるマウスのタッチセンサの左側のエリア、すなわち、通常、右手の人差し指で操作されるエリアである。
また、「Ｒ」は、上記右手設定におけるマウスのタッチセンサの右側のエリア、すなわち、通常、右手の中指で操作されるエリアである。
このように構成することにより、図３に示すように、多方向（２方向）の向きで使用可能な情報入力装置を提供することが可能になる。
図４は、他の実施形態に係わる、近接センサを２つ備える情報入力装置（マウス）の構成および動作を説明する図である。
この実施の形態においては、第１のタッチエリア３１は、２０ａおよび２０ｂの２つのエリアに分離されている。また、第２のタッチエリア３２は、２０ｃおよび２０ｄの２つのエリアに分離されている。
【００４５】
ここでも、上記と同様に、近接センサで物体が検出された場合に、ユーザが情報入力装置（マウス）２０を右手で使用することが、電子機器（ＰＣ）１０に、予め、設定されている。
【００４６】
図４（ａ）は、情報入力装置（マウス）２０の構成を説明する図である。
図４（ａ）に示すように、この実施形態に係わる情報入力装置（マウス）２０は、第１の近接センサ２１および第２の近接センサ２２の２つの近接センサを備えている。
【００４７】
この情報入力装置（マウス）２０は、以下説明するように、異なる動作をする、第１のタッチエリア３１および第２のタッチエリア３２の２つの領域（タッチエリア）を備え、図４（ａ）に示すように、それぞれが、２つのエリアに分離されている。
【００４８】
また、この実施の形態においても、情報入力装置（マウス）２０は、図示しない、ＣＰＵ等の制御部を備えている。
そして、上記第１のタッチエリア３１近傍（第１のタッチエリア３１内を含む）には、上記第１の近接センサ２１が設けられ、情報入力装置（マウス）２０に近接する物体を検出する。また、上記第２のタッチエリア３２近傍（第２のタッチエリア３２内を含む）には、上記第２の近接センサ２２が設けられ、同様に、情報入力装置（マウス）２０に近接する物体を検出する。
【００４９】
また、上記第１の近接センサ２１で物体が検出された場合は、上記第２のタッチエリア３２をイネーブル（有効）にする
また上記制御部は、さらに、上記第１のタッチエリア３１をディスエーブル（無効）にする。
図４（ｂ）は、情報入力装置（マウス）２０に情報入力装置（マウス）２０を操作するユーザの手（右手）が近接し、これが第２の近接センサ２２で物体として検出された場合の動作を説明する図である。
【００５０】
上記のように、ここでは、近接センサ２２で物体が検出された場合に、ユーザが情報入力装置（マウス）２０を右手で使用することが、電子機器（ＰＣ）１０に、予め、設定されている。
【００５１】
図４（ｂ）に示すように、ここでは、第２の検出センサ２２で物体１が検出されている。
すると、上記第２の近接センサ２１で物体が検出された場合は、例えば、上記第１のタッチエリア３１をイネーブル（有効）にする。また、このとき、上記第２のタッチエリア３２はディスエーブル（無効）にする。
【００５２】
また、上記イネーブル（有効）にされた第１のタッチエリア３１に、図４（ｂ）に示すように、「Ｌ」および「Ｒ」と示されたタッチセンサ２０ａおよび２０ｂを動作させる。
【００５３】
ここで、「Ｌ」（タッチセンサ２０ａ）は、上記右手設定におけるマウスのタッチセンサの左側のエリア、すなわち、通常、右手の人差し指で操作されるエリアである。
【００５４】
また、「Ｒ」（タッチセンサ２０ｂ）は、上記右手設定におけるマウスのタッチセンサの右側のエリア、すなわち、通常、右手の中指で操作されるエリアである。
図４（ｃ）は、情報入力装置（マウス）２０に情報入力装置（マウス）２０を操作するユーザの手（右手）が近接し、これが第１の近接センサ２１で物体として検出された場合の動作を説明する図である。
【００５５】
上記のように、ここでは、近接センサ２１で物体が検出された場合に、ユーザが情報入力装置（マウス）２０を右手で使用することが、電子機器（ＰＣ）１０に、予め、設定されている。
【００５６】
図４（ｃ）に示すように、ここでは、第１の検出センサ２１で物体１が検出されている。
すると、上記第１の近接センサ２１で物体が検出された場合は、例えば、上記第２のタッチエリア３２をイネーブル（有効）にする。また、このとき、上記第１のタッチエリア３１はディスエーブル（無効）にする。
【００５７】
また、上記と同様に、上記イネーブル（有効）にされた第２のタッチエリア３２に、図４（ｃ）に示すように、「Ｌ」および「Ｒ」と示されたタッチセンサ２０ｄおよび２０ｃを動作させる。
【００５８】
ここで、「Ｌ」（タッチセンサ２０ｄ）は、上記右手設定におけるマウスのタッチセンサの左側のエリア、すなわち、通常、右手の人差し指で操作されるエリアである。
【００５９】
また、「Ｒ」（タッチセンサ２０ｃ）は、上記右手設定におけるマウスのタッチセンサの右側のエリア、すなわち、通常、右手の中指で操作されるエリアである。
このように構成することにより、図４に示すように、多方向（２方向）の向きで使用可能な情報入力装置を提供することが可能になる。
図５は、他の実施形態に係わる、近接センサを２つ備える情報入力装置（マウス）の構成および動作を説明する図である。
この実施の形態においては、第１のタッチエリア３１には、２０ａおよび２０ｂの２つのタッチエリアが設けられている。また、第２のタッチエリア３２には、２０ｃおよび２０ｄの２つのタッチエリアが設けられている。
【００６０】
ここでも、上記と同様に、近接センサで物体が検出された場合に、ユーザが情報入力装置（マウス）２０を右手で使用することが、電子機器（ＰＣ）１０に、予め、設定されている。
【００６１】
図５（ａ）は、情報入力装置（マウス）２０の構成を説明する図である。
図５（ａ）に示すように、この実施形態に係わる情報入力装置（マウス）２０は、第１の近接センサ２１および第２の近接センサ２２の２つの近接センサを備えている。
【００６２】
この情報入力装置（マウス）２０は、以下説明するように、異なる動作をする、第１のタッチエリア３１および第２のタッチエリア３２の２つの領域（タッチエリア）を備え、図５（ａ）に示すように、それぞれが、２つのエリアに分離されている。
【００６３】
また、この実施の形態においても、情報入力装置（マウス）２０は、図示しない、ＣＰＵ等の制御部を備えている。
そして、上記第１のタッチエリア３１近傍（第１のタッチエリア３１内を含む）には、上記第１の近接センサ２１が設けられ、情報入力装置（マウス）２０に近接する物体を検出する。また、上記第２のタッチエリア３２近傍（第２のタッチエリア３２内を含む）には、上記第２の近接センサ２２が設けられ、同様に、情報入力装置（マウス）２０に近接する物体を検出する。
【００６４】
また、上記第１の近接センサ２１で物体が検出された場合は、上記第２のタッチエリア３２をイネーブル（有効）にする
また上記制御部は、さらに、上記第１のタッチエリア３１をディスエーブル（無効）にする。
図５（ｂ）は、情報入力装置（マウス）２０に情報入力装置（マウス）２０を操作するユーザの手（右手）が近接し、これが第２の近接センサ２２で物体として検出された場合の動作を説明する図である。
【００６５】
上記のように、ここでは、近接センサ２２で物体が検出された場合に、ユーザが情報入力装置（マウス）２０を右手で使用することが、電子機器（ＰＣ）１０に、予め、設定されている。
【００６６】
図５（ｂ）に示すように、ここでは、第２の検出センサ２２で物体１が検出されている。
すると、上記第２の近接センサ２１で物体が検出された場合は、例えば、上記第１のタッチエリア３１をイネーブル（有効）にする。また、このとき、上記第２のタッチエリア３２はディスエーブル（無効）にする。
【００６７】
また、上記イネーブル（有効）にされた第１のタッチエリア３１に、図５（ｂ）に示すように、「Ｌ」および「Ｒ」と示されたタッチセンサ２０ａおよび２０ｂを動作させる。
【００６８】
ここで、「Ｌ」（タッチセンサ２０ａ）は、上記右手設定におけるマウスのタッチセンサの左側の部分、すなわち、通常、右手の人差し指で操作される部分である。
また、「Ｒ」（タッチセンサ２０ｂ）は、上記右手設定におけるマウスのタッチセンサの右側の部分、すなわち、通常、右手の中指で操作される部分である。
図５（ｃ）は、情報入力装置（マウス）２０に情報入力装置（マウス）２０を操作するユーザの手（右手）が近接し、これが第１の近接センサ２１で物体として検出された場合の動作を説明する図である。
【００６９】
上記のように、ここでは、近接センサ２１で物体が検出された場合に、ユーザが情報入力装置（マウス）２０を右手で使用することが、電子機器（ＰＣ）１０に、予め、設定されている。
【００７０】
図５（ｃ）に示すように、ここでは、第１の検出センサ２１で物体１が検出されている。
すると、上記第１の近接センサ２１で物体が検出された場合は、例えば、上記第２のタッチエリア３２をイネーブル（有効）にする。また、このとき、上記第１のタッチエリア３１はディスエーブル（無効）にする。
【００７１】
また、上記と同様に、上記イネーブル（有効）にされた第２のタッチエリア３２に、図５（ｃ）に示すように、「Ｌ」および「Ｒ」と示されたタッチセンサ２０ｄおよび２０ｃを動作させる。
【００７２】
ここで、「Ｌ」（タッチセンサ２０ｄ）は、上記右手設定におけるマウスのタッチセンサの左側の部分、すなわち、通常、右手の人差し指で操作される部分である。
また、「Ｒ」（タッチセンサ２０ｃ）は、上記右手設定におけるマウスのタッチセンサの右側の部分、すなわち、通常、右手の中指で操作される部分である。
このように構成することにより、図５に示すように、多方向（２方向）の向きで使用可能な情報入力装置を提供することが可能になる。
図６は、他の実施形態に係わる、近接センサを４つ備える情報入力装置（マウス）の構成を説明する図である。
この実施の形態においては、情報入力装置（マウス）２０は、第１の近接センサ６１、第２の近接センサ６２、第３の近接センサ６３、第４の近接センサ６４の４つの近接センサを備える。
【００７３】
そして、この実施の形態においては、図６に示すように、タッチエリアは例えば、４つ構成される。
そして、例えば、一つの近接センサを挟む２つのタッチエリアが上記説明したタッチエリアとなる。
すなわち、ここでは、例えば、第３の近接センサ６３が物体を検出した場合には、第１の近接センサ６１を挟む２つのタッチエリア（タッチエリア２０ａおよびタッチエリア２０ｂ）が上記と同様のタッチエリアとなる。
【００７４】
また、同様に、第４の近接センサ６４が物体を検出した場合には、第２の近接センサ６２を挟む２つのタッチエリア（タッチエリア２０ｂおよびタッチエリア２０ｄ）が上記と同様のタッチエリアとなる。
【００７５】
また、同様に、第１の近接センサ６１が物体を検出した場合には、第３の近接センサ６３を挟む２つのタッチエリア（タッチエリア２０ｄおよびタッチエリア２０ｃ）が上記と同様のタッチエリアとなる。
【００７６】
また、同様に、第２の近接センサ６２が物体を検出した場合には、第４の近接センサ６４を挟む２つのタッチエリア（タッチエリア２０ｃおよびタッチエリア２０ａ）が上記と同様のタッチエリアとなる。
【００７７】
ここでも、上記と同様に、近接センサで物体が検出された場合に、ユーザが情報入力装置（マウス）２０を右手で使用することが、電子機器（ＰＣ）１０に、予め、設定されている。
【００７８】
図７は、他の実施形態に係わる、近接センサを４つ備える情報入力装置（マウス）の動作を説明する図である。
図７（ａ）は、情報入力装置（マウス）２０に情報入力装置（マウス）２０を操作するユーザの手（右手）が近接し、これが第３の近接センサ６３で物体として検出された場合の動作を説明する図である。
【００７９】
上記のように、ここでは、近接センサで物体が検出された場合に、ユーザが情報入力装置（マウス）２０を右手で使用することが、電子機器（ＰＣ）１０に、予め、設定されている。
【００８０】
図７（ａ）に示すように、ここでは、第３の検出センサ６３で物体１が検出されている。
そして、上記第３の検出センサ６３で物体１が検出された場合は、例えば、この第３の検出センサ６３に対向する第１の検出センサ６１を挟む第１のタッチエリア７１（タッチエリア２０ａおよびタッチエリア２０ｂ）をイネーブル（有効）にし、他のタッチエリアはディスエーブル（無効）にする。
【００８１】
ここで、「Ｌ」（タッチセンサ２０ａ）は、上記右手設定におけるマウスのタッチセンサの左側の部分、すなわち、通常、右手の人差し指で操作される部分である。
また、「Ｒ」（タッチセンサ２０ｂ）は、上記右手設定におけるマウスのタッチセンサの右側の部分、すなわち、通常、右手の中指で操作される部分である。
図７（ｂ）は、情報入力装置（マウス）２０に情報入力装置（マウス）２０を操作するユーザの手（右手）が近接し、これが第４の近接センサ６４で物体として検出された場合の動作を説明する図である。
【００８２】
上記のように、ここでは、近接センサで物体が検出された場合に、ユーザが情報入力装置（マウス）２０を右手で使用することが、電子機器（ＰＣ）１０に、予め、設定されている。
【００８３】
図７（ｂ）に示すように、ここでは、第４の検出センサ６４で物体１が検出されている。
そして、上記第４の検出センサ６４で物体１が検出された場合は、例えば、この第４の検出センサ６４に対向する第２の検出センサ６２を挟む第２のタッチエリア７２（タッチエリア２０ｂおよびタッチエリア２０ｄ）をイネーブル（有効）にし、他のタッチエリアはディスエーブル（無効）にする。
【００８４】
ここで、「Ｌ」（タッチセンサ２０ｂ）は、上記右手設定におけるマウスのタッチセンサの左側の部分、すなわち、通常、右手の人差し指で操作される部分である。
また、「Ｒ」（タッチセンサ２０ｄ）は、上記右手設定におけるマウスのタッチセンサの右側の部分、すなわち、通常、右手の中指で操作される部分である。
図７（ｃ）は、情報入力装置（マウス）２０に情報入力装置（マウス）２０を操作するユーザの手（右手）が近接し、これが第１の近接センサ６１で物体として検出された場合の動作を説明する図である。
【００８５】
上記のように、ここでは、近接センサで物体が検出された場合に、ユーザが情報入力装置（マウス）２０を右手で使用することが、電子機器（ＰＣ）１０に、予め、設定されている。
【００８６】
図７（ｃ）に示すように、ここでは、第１の検出センサ６１で物体１が検出されている。
そして、上記第１の検出センサ６１で物体１が検出された場合は、例えば、この第１の検出センサ６１に対向する第３の検出センサ６３を挟む第１のタッチエリア７１（タッチエリア２０ａおよびタッチエリア２０ｂ）をイネーブル（有効）にし、他のタッチエリアはディスエーブル（無効）にする。
【００８７】
ここで、「Ｌ」（タッチセンサ２０ａ）は、上記右手設定におけるマウスのタッチセンサの左側の部分、すなわち、通常、右手の人差し指で操作される部分である。
また、「Ｒ」（タッチセンサ２０ｂ）は、上記右手設定におけるマウスのタッチセンサの右側の部分、すなわち、通常、右手の中指で操作される部分である。
図７（ｄ）は、情報入力装置（マウス）２０に情報入力装置（マウス）２０を操作するユーザの手（右手）が近接し、これが第２の近接センサ６２で物体として検出された場合の動作を説明する図である。
【００８８】
上記のように、ここでは、近接センサで物体が検出された場合に、ユーザが情報入力装置（マウス）２０を右手で使用することが、電子機器（ＰＣ）１０に、予め、設定されている。
【００８９】
図７（ｄ）に示すように、ここでは、第２の検出センサ６２で物体１が検出されている。
そして、上記第２の検出センサ６２で物体１が検出された場合は、例えば、この第２の検出センサ６２に対向する第４の検出センサ６４を挟む第４のタッチエリア７４（タッチエリア２０ｃおよびタッチエリア２０ａ）をイネーブル（有効）にし、他のタッチエリアはディスエーブル（無効）にする。
【００９０】
ここで、「Ｌ」（タッチセンサ２０ｃ）は、上記右手設定におけるマウスのタッチセンサの左側の部分、すなわち、通常、右手の人差し指で操作される部分である。
また、「Ｒ」（タッチセンサ２０ａ）は、上記右手設定におけるマウスのタッチセンサの右側の部分、すなわち、通常、右手の中指で操作される部分である。
このように構成することにより、この実施の形態においては、図７に示すように、多方向（４方向）の向きで使用可能な情報入力装置を提供することが可能になる。
図８は、実施形態に係わる、近接センサを２つ備える情報入力装置（マウス）の構成および左手設定における動作を説明する図である。
この実施の形態においては、近接センサで物体が検出された場合に、ユーザが情報入力装置（マウス）２０を左手で使用することが、電子機器（ＰＣ）１０に、予め、設定されている。
【００９１】
図８（ａ）は、情報入力装置（マウス）２０の構成を説明する図である。
図８（ａ）に示すように、この実施形態に係わる情報入力装置（マウス）２０は、第１の近接センサ２１および第２の近接センサ２２の２つの近接センサを備えている。
【００９２】
この情報入力装置（マウス）２０は、以下説明するように、異なる動作をする、第１のタッチエリア３１および第２のタッチエリア３２の２つの領域（タッチエリア）を備えている。
【００９３】
また、この実施の形態においては、情報入力装置（マウス）２０は、図示しない、ＣＰＵ等の制御部を備えている。
そして、上記第１のタッチエリア３１近傍（第１のタッチエリア３１内を含む）には、上記第１の近接センサ２１が設けられ、情報入力装置（マウス）２０に近接する物体を検出する。また、上記第２のタッチエリア３２近傍（第２のタッチエリア３２内を含む）には、上記第２の近接センサ２２が設けられ、同様に、情報入力装置（マウス）２０に近接する物体を検出する。
【００９４】
また、上記第１の近接センサ２１で物体が検出された場合は、上記第２のタッチエリア３２をイネーブル（有効）にする
また上記制御部は、さらに、上記第１のタッチエリア３１をディスエーブル（無効）にする。
図８（ｂ）は、情報入力装置（マウス）２０に情報入力装置（マウス）２０を操作するユーザの手（左手）が近接し、これが第２の近接センサ２２で物体として検出された場合の動作を説明する図である。
【００９５】
上記のように、ここでは、近接センサ２２で物体が検出された場合に、ユーザが情報入力装置（マウス）２０を左手で使用することが、電子機器（ＰＣ）１０に、予め、設定されている。
【００９６】
図８（ｂ）に示すように、ここでは、第２の検出センサ２２で物体１が検出されている。
すると、上記第２の近接センサ２１で物体が検出された場合は、例えば、上記第１のタッチエリア３１をイネーブル（有効）にする。また、このとき、上記第２のタッチエリア３２はディスエーブル（無効）にする。
【００９７】
また、上記イネーブル（有効）にされた第１のタッチエリア３１に、図８（ｂ）に示すように、「Ｌ」および「Ｒ」と示されたタッチセンサを動作させる。
ここで、「Ｌ」は、上記左手設定におけるマウスのタッチセンサの通常、左手の人差し指で操作されるエリアである。
また、「Ｒ」は、上記左手設定におけるマウスのタッチセンサの通常、左手の中指で操作されるエリアである。
図８（ｃ）は、情報入力装置（マウス）２０に情報入力装置（マウス）２０を操作するユーザの手（左手）が近接し、これが第１の近接センサ２１で物体として検出された場合の動作を説明する図である。
【００９８】
上記のように、ここでは、近接センサ２１で物体が検出された場合に、ユーザが情報入力装置（マウス）２０を左手で使用することが、電子機器（ＰＣ）１０に、予め、設定されている。
【００９９】
図８（ｃ）に示すように、ここでは、第１の検出センサ２１で物体１が検出されている。
すると、上記第１の近接センサ２１で物体が検出された場合は、例えば、上記第２のタッチエリア３２をイネーブル（有効）にする。また、このとき、上記第１のタッチエリア３１はディスエーブル（無効）にする。
【０１００】
また、上記と同様に、上記イネーブル（有効）にされた第２のタッチエリア３２に、図８（ｃ）に示すように、「Ｌ」および「Ｒ」と示されたタッチセンサを動作させる。
【０１０１】
ここで、「Ｌ」は、上記左手設定におけるマウスのタッチセンサの通常、左手の人差し指で操作されるエリアである。
また、「Ｒ」は、上記左手設定におけるマウスのタッチセンサの通常、左手の中指で操作されるエリアである。
このように構成することにより、図８に示すように、多方向（２方向）の向きで使用可能な情報入力装置を提供することが可能になる。
図９は、近接センサを２つ備える情報入力装置（マウス）の動作を説明するフローチャートである。
ステップＳ１００は、ここでの開始ステップである。続いて、ステップＳ１０１に進む。
ステップＳ１０１は、上記２つの近接センサのどちらかで物体が検出されたかを判別するステップである。２つの近接センサのどちらかで物体が検出されたと判別される場合は、ステップＳ１０２に進む（Ｙｅｓ）。２つの近接センサのどちらかで物体が検出されたと判別されない場合は、ここでの処理を繰り返す（Ｎｏ）。
【０１０２】
ステップＳ１０２は、上記物体を検出した近接センサは、第１の近接センサ２１であるかを判別するステップである。上記物体を検出した近接センサは、第１の近接センサ２１であると判別される場合は、ステップＳ１０３に進む（Ｙｅｓ）。上記物体を検出した近接センサは、第１の近接センサ２１ではないと判別される場合は、ステップＳ１０８に進む（Ｎｏ）。
【０１０３】
ステップＳ１０３は、上記のように、第１の近接センサ２１近傍の第１のタッチエリア３１をディスエーブル（無効）、第２の近接センサ２２近傍の第２のタッチエリア３２をイネーブル（有効）にするステップである。続いて、ステップＳ１０４に進む。
【０１０４】
ステップＳ１０４は、情報入力装置（マウス）２０が右手用に設定されているかを判別するステップである。情報入力装置（マウス）２０が右手用に設定されていると判別される場合は、ステップＳ１０５に進む（Ｙｅｓ）。情報入力装置（マウス）２０が右手用に設定されていると判別されない場合は、ステップＳ１０６に進む（Ｎｏ）。
【０１０５】
ステップＳ１０５は、例えば、図３、図４、図５に示すように、第２のタッチエリア３２を右手用で動作させるステップである。続いて、ステップＳ１１４に進む。
ステップＳ１０６は、情報入力装置（マウス）２０が左手用に設定されているかを判別するステップである。情報入力装置（マウス）２０が左手用に設定されていると判別される場合は、ステップＳ１０７に進む（Ｙｅｓ）。情報入力装置（マウス）２０が左手用に設定されていると判別されない場合は、ステップＳ１０４に進み、上記処理を繰り返す（Ｎｏ）。
【０１０６】
ステップＳ１０７は、図８に示すように、上記第２のタッチエリア３２を左手用で動作させるステップである。続いて、ステップＳ１１４に進む。
ステップＳ１０８は、上記物体が検出された近接センサは第２の近接センサ２２であるかを判別するステップである。上記物体が検出された近接センサは第２の近接センサ２２であると判別される場合は、ステップＳ１０９に進む（Ｙｅｓ）。上記物体が検出された近接センサは第２の近接センサ２２ではないと判別される場合は、ステップＳ１０１に進み、上記処理を繰り返す（Ｎｏ）。
【０１０７】
ステップＳ１０９は、第２の近接センサ２２近傍の第２のタッチエリア３２をディスエーブル（無効）、第１の近接センサ２１近傍の第１のタッチエリア３１をイネーブル（有効）にするステップである。続いて、ステップＳ１１０に進む。
【０１０８】
ステップＳ１１０は、上記情報入力装置（マウス）２０が右手用に設定されているかを判別するステップである。上記情報入力装置（マウス）２０が右手用に設定されていると判別される場合は、ステップＳ１１１に進む（Ｙｅｓ）。上記情報入力装置（マウス）２０が右手用に設定されていると判別されない場合は、ステップＳ１１２に進む（Ｎｏ）。
【０１０９】
ステップＳ１１１は、図３、図４、図５に示すように、第１のタッチエリア３１を右手用で動作させるステップである。続いて、ステップＳ１１４に進む。
ステップＳ１１２は、上記情報入力装置（マウス）２０が左手用に設定されているかを判別するステップである。上記情報入力装置（マウス）２０が左手用に設定されていると判別される場合は、ステップＳ１１３に進む（Ｙｅｓ）。上記情報入力装置（マウス）２０が左手用に設定されていると判別されない場合は、ステップＳ１１３に進む（Ｎｏ）。
【０１１０】
ステップＳ１１３は、図８に示すように、第１のタッチエリア３１を左手用で動作させるステップである。続いて、ステップＳ１１４に進む。
ステップＳ１１４は、終了ステップであり、ここでの処理は終了する。
図１０は、近接センサを４つ備える情報入力装置（マウス）の動作を説明するフローチャートである。
ステップＳ２００は、ここでの開始ステップである。続いて、ステップＳ２０１に進む。
ステップＳ２０１は、４つの近接センサのどれかで物体が検出されたかを判別するステップである。４つの近接センサのどれかで物体が検出されたと判別された場合は、ステップＳ２０２に進む（Ｙｅｓ）。４つの近接センサのどれかで物体が検出されたと判別されない場合は、ステップＳ２０４に進む（Ｎｏ）。
【０１１１】
ステップＳ２０２は、物体を検出した近接センサは第１の近接センサ６１であるかを判別するステップである。物体を検出した近接センサは第１の近接センサ６１であると判別される場合は、ステップＳ２０３に進む（Ｙｅｓ）。物体を検出した近接センサは第１の近接センサ６１ではないと判別される場合は、ステップＳ２０４に進む（Ｎｏ）。
【０１１２】
ステップＳ２０３は、図７（ｃ）に示すように、第１の近接センサ６１近傍の第１のタッチエリア７１をディスエーブル、第３の近接センサ６３近傍の第３のタッチエリア７３をイネーブルにするステップである。続いて、ステップＳ２１０に進む。
【０１１３】
ステップＳ２０４は、物体を検出した近接センサは第２の近接センサ６２であるかを判別するステップである。物体を検出した近接センサは第２の近接センサ６２であると判別される場合は、ステップＳ２０５に進む（Ｙｅｓ）。物体を検出した近接センサは第２の近接センサ６２ではないと判別される場合は、ステップＳ２０６に進む（Ｎｏ）。
【０１１４】
ステップＳ２０５は、図７（ｄ）に示すように、第２の近接センサ６２近傍の第２のタッチエリア７２をディスエーブル、第４の近接センサ６４近傍の第４のタッチエリア７４をイネーブルにするステップである。続いて、ステップＳ２１０に進む。
【０１１５】
ステップＳ２０６は、物体を検出した近接センサは第３の近接センサ６３であるかを判別するステップである。物体を検出した近接センサは第３の近接センサ６３であると判別される場合は、ステップＳ２０７に進む（Ｙｅｓ）。物体を検出した近接センサは第３の近接センサ６３ではないと判別される場合は、ステップＳ２０８に進む（Ｎｏ）。
【０１１６】
ステップＳ２０７は、図７（ａ）に示すように、第３の近接センサ６３近傍の第３のタッチエリア７３をディスエーブル、第１の近接センサ６１近傍の第１のタッチエリア７１をイネーブルにするステップである。続いて、ステップＳ２１０に進む。
【０１１７】
ステップＳ２０８は、物体を検出した近接センサは第４の近接センサ６４であるかを判別するステップである。物体を検出した近接センサは第４の近接センサ６４であると判別される場合は、ステップＳ２０９に進む（Ｙｅｓ）物体を検出した近接センサは第４の近接センサ６４ではないと判別される場合は、ステップＳ２０１に進み、上記処理を繰り返す。
【０１１８】
ステップＳ２０９は、図７（ｂ）に示すように、第４の近接センサ６４近傍の第４のタッチエリア７４をディスエーブル、第２の近接センサ６２近傍の第２のタッチエリア７２をイネーブルにするステップである。続いて、ステップＳ２１０に進む。
【０１１９】
ステップＳ２１０は、図７（ａ）、（ｂ）、（ｃ）、（ｄ）に示すように、イネーブルになったタッチエリアを予め設定された右手用または左手用で動作するステップである。続いて、ステップＳ２１１に進む。
【０１２０】
ステップＳ２１１は、終了ステップであり、ここでの処理は終了する。
上記のように構成することにより、この実施の形態においては、多方向の向きで使用可能な情報入力装置を提供することが可能になる。
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１２１】
なお、上記実施形態は、記述そのものに限定されるものではなく、実施段階では、その趣旨を逸脱しない範囲で、構成要素を種々変形して具体化することが可能である。
【０１２２】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【０１２３】
１…物体（右手設定）、２…物体（左手設定）、２１…第１の近接センサ、２２…第２の近接センサ、３１…第１のタッチエリア、３２…第２のタッチエリア。
【図１】
2013030025.tif 000003
【図２】
2013030025.tif 000004
【図３】
2013030025.tif 000005
【図４】
2013030025.tif 000006
【図５】
2013030025.tif 000007
【図６】
2013030025.tif 000008
【図７】
2013030025.tif 000009
【図８】
2013030025.tif 000010
【図９】
2013030025.tif 000011
【図１０】
2013030025.tif 000012